【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
第１のユーザにより入力されたキーワードをサーバにより受信するステップ（１０２）と；
前記キーワードに従って対象ユーザ特徴を判定するステップ（１０３）と；
第１の領域を判定するステップ（１０４）と；
所定のルールに従って、前記第１の領域を複数の第２の領域に分割するステップと；
所定期間内に、前記第１の領域内の全てのユーザの位置を取得するステップと；
前記所定期間内に、前記第１の領域内の全ての前記ユーザのユーザ特徴を取得するステップと；
前記第１の領域内の前記ユーザの位置情報に従って、それぞれの第２の領域内で前記対象ユーザ特徴を持つユーザの数を判定するステップ（１０６）と；
判定された前記ユーザの数に従って、前記複数の第２の領域から候補領域を判定するステップ（１０８）と；
前記候補領域を前記第１のユーザに提供するステップ（１１０）と；を備える、
位置情報提供方法。
【請求項２】
所定期間内に、前記第１の領域内の全てのユーザの位置を取得する前記ステップは、具体的に：
前記所定期間内に前記第１の領域内の前記ユーザが、所定のアプリケーションにログオンするときに位置している複数の第２の領域と、それぞれの第２の領域内で前記ユーザの各々が前記アプリケーションにログオンする回数とを取得するステップと；
前記第１の領域内のユーザのうちの１名のユーザが前記アプリケーションに最大回数ログオンする第２の領域を、前記ユーザの前記位置として用いるステップと；を備える、
請求項１に記載の位置情報提供方法。
【請求項３】
前記所定期間内に、前記第１の領域内の全ての前記ユーザのユーザ特徴を取得する前記ステップは、具体的に：
前記第１の領域内の前記ユーザのネットワーク情報を取得するステップと；
前記ネットワーク情報に従って前記第１の領域内の前記ユーザの前記ユーザ特徴を判定するステップと；を備える、
請求項１に記載の位置情報提供方法。
【請求項４】
それぞれの第２の領域内で前記対象ユーザ特徴を持つユーザの数を判定する前記ステップは、具体的に：
それぞれの第２の領域内に位置している、前記第１の領域内の前記ユーザを判定するステップと；
前記対象ユーザ特徴を持つユーザを前記第１の領域内の前記ユーザから除外し、前記除外されたユーザの数をカウントするステップと；を備える、
請求項３に記載の位置情報提供方法。
【請求項５】
前記ユーザの数に従って、前記複数の第２の領域から候補領域を判定する前記ステップは、具体的に：
前記ユーザの数に従って、それぞれの第２の領域内での前記対象ユーザ特徴のインデックス値を判定するステップと；
前記インデックス値に従って、前記複数の第２の領域を分類するステップと；
上位Ｍの第２の領域を候補領域として用いるステップであって、前記Ｍは所定の数値を表す、前記ステップと；を備える、
請求項１に記載の位置情報提供方法。
【請求項６】
前記ユーザの数に従って、それぞれの第２の領域内での前記対象ユーザ特徴のインデックス値を判定する前記ステップは、具体的に：
前記ユーザの数の昇順に従って前記第２の領域を分類し、１からＮまでの連続番号を順番に割り当てるステップであって、Ｎは１よりも大きい正の整数である、前記ステップと；
次式に従って、それぞれの第２の領域に対応する連続番号値を判定するステップと、
連続番号値＝（各第２の領域の連続番号／第２の領域の総数−０．５）＊２  ；
次式に従って、それぞれの第２の領域に対応するインデックス値を判定するステップと、
インデックス値＝ｒｏｕｎｄ（（ＡＳＩＮ（連続番号値）／π＋０．５）＊１０００）  ；を備える、
請求項５に記載の位置情報提供方法。
【請求項７】
複数の対象ユーザ特徴があり、
それぞれの第２の領域内で前記対象ユーザ特徴を持つユーザの数を判定する前記ステップは、具体的に：
それぞれの第２の領域内で前記対象ユーザ特徴を持つ複数のユーザの数を判定するステップを備え；
前記ユーザの数に従って、前記複数の第２の領域を分類する前記ステップは、具体的に：
前記複数のユーザの数に従って、それぞれの第２の領域内の各対象ユーザ特徴のインデックス値を別々に判定するステップと；
前記対象ユーザ特徴のインデックス値と、前記それぞれの対象ユーザ特徴に予め設定された重みとに従って、それぞれの第２の領域の総合インデックス値を判定するステップであって、
総合インデックス値＝ａ＊Ｘ１＋ｂ＊Ｘ２＋ｃ＊Ｘ３．．．であり、
Ｘ１、Ｘ２、Ｘ３．．．はそれぞれの対象ユーザ特徴のインデックス値であり、
ａ、ｂ、ｃ．．．はそれぞれの対象ユーザ特徴の重みである、前記ステップと；
前記複数の第２の領域を前記総合インデックス値に従って分類するステップと；を備える、
請求項５に記載の位置情報提供方法。
【請求項８】
所定のルールに従って、前記第１の領域を複数の第２の領域に分割するステップは：
所定の領域サイズに従って、第１の領域を複数の第２の領域に分割するステップ；又は
第１のユーザ位置を経度と緯度に変換し、次に、地理的地域サービスプロバイダのアプリケーションに従って、前記経度と前記緯度を対応する第２の領域に変換するステップ；又は
人口密度を用いて前記第１の領域を分割するステップ；を備える、
請求項１〜請求項７のいずれか１項に記載の位置情報提供方法。
【請求項９】
サーバに適用される位置情報提供装置（２００）であって：
請求項１〜請求項８のいずれか１項に記載の方法を実行するように構成された複数のモジュール（２０２、２０３、２０４、２０６、２０８、２１０）を備える、
位置情報提供装置。
【手続補正２】
【補正対象書類名】明細書
【補正対象項目名】００７２
【補正方法】変更
【補正の内容】
【００７２】
明らかに、当業者は、本願の精神及び範囲から逸脱することなく、本願に対して様々な変更および変形を行うことができる。このようにして、本願のこれらの改変および変形が本願の特許請求の範囲及びその均等な技術の範囲内に入る場合、本願はこれらの改変および変形も含むことが意図される。
［第１の局面］
位置情報提供方法であって：
第１のユーザにより入力されたキーワードをサーバにより受信するステップと；
前記キーワードに従って対象ユーザ特徴を判定するステップと；
複数の第２の領域を含む第１の領域を判定するステップと；
前記第１の領域内でのユーザの位置情報に従って、それぞれの第２の領域内で前記対象ユーザ特徴を持つ第２のユーザの数を判定するステップと；
前記第２のユーザの数に従って、前記複数の第２の領域から候補領域を判定するステップと；
前記候補領域を前記第１のユーザに提供するステップと；を備える、
位置情報提供方法。
［第２の局面］
前記第１の領域内でのユーザの位置情報に従って、それぞれの第２の領域内で前記対象ユーザ特徴を持つ第２のユーザの数を判定するステップの前に：
所定のルールに従って、前記第１の領域を複数の第２の領域に分割するステップと；
所定期間内に、前記第１の領域における全ての第３のユーザの位置を取得するステップと；
前記所定期間内に、前記第１の領域内の全ての前記第３のユーザのユーザ特徴を取得するステップと；を更に備える、
第１の局面に記載の方法。
［第３の局面］
所定期間内に前記第１の領域内での全ての第３のユーザの位置を取得する前記ステップは、具体的に：
前記所定期間内に前記第１の領域内の前記第３のユーザが所定のアプリケーションにログオンするときに位置している複数の第２の領域と、それぞれの第２の領域内で前記第３のユーザの各々が前記アプリケーションにログオンする回数とを取得するステップと；
１名の第３のユーザが前記アプリケーションに最大回数ログオンする第２の領域を、前記第３のユーザの前記位置として用いるステップと；を備える、
第２の局面に記載の方法。
［第４の局面］
前記所定期間内に前記第１の領域内の全ての前記第３のユーザのユーザ特徴を取得する前記ステップは、具体的に：
前記第１の領域内での前記第３のユーザのネットワーク情報を取得するステップと；
前記ネットワーク情報に従って前記第３のユーザの前記ユーザ特徴を判定するステップと；を備える、
第２の局面に記載の方法。
［第５の局面］
それぞれの第２の領域内において前記対象ユーザ特徴を持つ第２のユーザの数を判定する前記ステップは、具体的に：
それぞれの第２の領域内に位置している前記第３のユーザを判定するステップと；
前記対象ユーザ特徴を持つ第２のユーザを前記第３のユーザから除外し、前記第２のユーザの数をカウントするステップと；を備える、
第４の局面に記載の方法。
［第６の局面］
前記第２のユーザの数に従って、前記複数の第２の領域から候補領域を判定する前記ステップは、具体的に：
前記第２のユーザの数に従って、それぞれの第２の領域内での前記対象ユーザ特徴のインデックス値を判定するステップと；
前記インデックス値に従って、前記複数の第２の領域を分類するステップと；
上位Ｍの第２の領域を候補領域として用いるステップであって、前記Ｍは所定の数値である、上位Ｍの第２の領域を候補領域として用いるステップと；を備える、
第１の局面に記載の方法。
［第７の局面］
前記第２のユーザの数に従って、それぞれの第２の領域内の前記対象ユーザ特徴のインデックス値を判定する前記ステップは、具体的に：
前記第２のユーザの数の昇順に従って前記第２の領域を分類し、１からＮまでの連続番号を順番に割り当てるステップであって、Ｎは１よりも大きい正の整数である、割り当てるステップと；
次式に従って、それぞれの第２の領域に対応する連続番号値を判定するステップと、
連続番号値＝（各第２の領域の連続番号／第２の領域の総数−０．５）＊２  ；
次式に従って、それぞれの第２の領域に対応するインデックス値を判定するステップと、
インデックス値＝ｒｏｕｎｄ（（ＡＳＩＮ（連続番号値）／π＋０．５）＊１０００）；を備える、
第６の局面に記載の方法。
［第８の局面］
複数の対象ユーザ特徴があり、
それぞれの第２の領域内で前記対象ユーザ特徴を持つ第２のユーザの数を判定する前記ステップは、具体的に：それぞれの第２の領域内で前記対象ユーザ特徴を持つ前記複数の第２のユーザの数を判定するステップを備え；
前記第２のユーザの数に従って、前記複数の第２の領域を分類する前記ステップは、具体的に：
前記複数の第２のユーザの数に従って、それぞれの第２の領域内の各対象ユーザ特徴のインデックス値を別々に判定するステップと；
前記対象ユーザ特徴のインデックス値と、前記それぞれの対象ユーザ特徴に予め設定された重みとに従って、それぞれの第２の領域の総合インデックス値を判定するステップであって、
総合インデックス値＝ａ＊Ｘ１＋ｂ＊Ｘ２＋ｃ＊Ｘ３．．．であり、
Ｘ１、Ｘ２、Ｘ３．．．はそれぞれの対象ユーザ特徴のインデックス値であり、
ａ、ｂ、ｃ．．．はそれぞれの対象ユーザ特徴の重みである、判定するステップと；
前記複数の第２の領域を前記総合インデックス値に従って分類するステップと；を備える、
第１の局面に記載の方法。
［第９の局面］
サーバに適用される位置情報提供装置であって：
第１のユーザにより入力されたキーワードを受信するように構成された受信モジュールと；
前記キーワードに従って対象ユーザ特徴を判定するように構成された特徴判定モジュールと；
複数の第２の領域を含む第１の領域を判定するように構成された第１の領域判定モジュールと；
前記第１の領域内でのユーザの位置情報に従って、それぞれの第２の領域内で前記対象ユーザ特徴を持つ第２のユーザの数を判定するように構成されたユーザ数判定モジュールと；
前記第２のユーザの数に従って、前記複数の第２の領域から候補領域を判定するように構成された候補領域判定モジュールと；
前記第１のユーザに前記候補領域を提供するように構成された結果フィードバックモジュールと；を備える、
位置情報提供装置。
［第１０の局面］
所定のルールに従って、前記第１の領域を複数の第２の領域に分割するように構成された領域分割モジュールと；
所定期間内に前記第１の領域における全ての第３のユーザの位置を取得するように構成された位置取得モジュールと；
前記所定期間内に、前記第１の領域内の全ての前記第３のユーザのユーザ特徴を取得するように構成されたユーザ特徴取得モジュールと；を更に備える、
第９の局面に記載の装置。
［第１１の局面］
前記位置取得モジュールは、具体的に：
前記所定期間内に前記第１の領域内の前記第３のユーザが所定のアプリケーションにログオンするときに位置している複数の第２の領域と、それぞれの第２の領域内で前記第３のユーザの各々が前記アプリケーションにログオンする回数とを取得するように構成された回数取得サブモジュールと；
１名の第３のユーザが前記アプリケーションに最大回数ログオンする第２の領域を、前記第３のユーザの前記位置として用いるように構成された位置取得サブモジュールと；を備える、
第１０の局面に記載の装置。
［第１２の局面］
前記ユーザ特徴取得モジュールは、具体的に：
前記第１の領域内での前記第３のユーザのネットワーク情報を取得するように構成されたネットワーク情報取得サブモジュールと；
前記ネットワーク情報に従って前記第３のユーザの前記ユーザ特徴を判定するように構成されたユーザ特徴判定サブモジュールと；を備える、
第１０の局面に記載の装置。
［第１３の局面］
前記ユーザ数判定モジュールは、具体的に：
それぞれの第２の領域内に位置している前記第３のユーザを判定するように構成されたユーザ判定サブモジュールと；
前記対象ユーザ特徴を持つ第２のユーザを前記第３のユーザから除外し、前記第２のユーザの数をカウントするように構成されたユーザ数判定サブモジュールと；を備える、
第１２の局面に記載の装置。
［第１４の局面］
前記候補領域判定モジュールは、具体的に：
前記第２のユーザの数に従って、それぞれの第２の領域内での前記対象ユーザ特徴のインデックス値を判定するように構成された第１のインデックス値判定サブモジュールと；
前記インデックス値に従って、前記複数の第２の領域を分類するように構成されたインデックス値分類サブモジュールと；
上位Ｍの第２の領域を候補領域として使用するように構成された候補領域判定サブモジュールであって、前記Ｍは所定の数値である、候補領域判定サブモジュールと；を備える、
第９の局面に記載の装置。
［第１５の局面］
前記第１のインデックス値判定サブモジュールは、具体的に：
前記第２のユーザの数の昇順に従って前記第２の領域を分類し、１からＮまでの連続番号を順番に割り当てるように構成された分類ユニットであって、Ｎは１よりも大きい正の整数である、分類ユニットと；
「連続番号値＝（各第２の領域の連続番号／第２の領域の総数−０．５）＊２」の式に従って、それぞれの第２の領域に対応した連続番号値を判定するように構成された連続番号値判定ユニットと；
「インデックス値＝ｒｏｕｎｄ（（ＡＳＩＮ（連続番号値）／π＋０．５）＊１０００）」の式に従って、それぞれの第２の領域に対応するインデックス値を判定するように構成されたインデックス値判定ユニットと；を備える、
第１４の局面に記載の装置。
［第１６の局面］
複数の対象ユーザ特徴があり；
前記ユーザ数判定モジュールは、それぞれの第２の領域内で前記対象ユーザ特徴を持つ複数の第２のユーザの数を判定するように構成され；
前記分類モジュールは、具体的に：
前記複数の第２のユーザの数に従って、それぞれの第２の領域内の各対象ユーザ特徴のインデックス値を別々に判定するように構成された第２のインデックス判定サブモジュールと；
前記対象ユーザ特徴のインデックス値と、前記それぞれの対象ユーザ特徴に予め設定された重みとに従って、それぞれの第２の領域の総合インデックス値を判定するように構成された総合インデックス値判定サブモジュールであって、「総合インデックス値＝ａ＊Ｘ１＋ｂ＊Ｘ２＋ｃ＊Ｘ３．．．」であり、ここで、Ｘ１、Ｘ２、Ｘ３．．．はそれぞれの対象ユーザ特徴のインデックス値であり、ａ、ｂ、ｃ．．．はそれぞれの対象ユーザ特徴の重みである、総合インデックス値判定サブモジュールと；
前記複数の第２の領域を前記総合インデックス値に従って分類するように構成された総合インデックス値分類サブモジュールと；を備える、
第９の局面に記載の装置。